(57)【要約】【課題】消費電力を抑えることができる画像形成装置を提供すること。【解決手段】  連続して搬送される複数の用紙Ｐに対してモノクロモードで画像を形成する場合において、１枚目の用紙Ｐ１の後端がカラーの感光ドラム１１と転写ローラ１９との間を通過してから、続く２枚目の用紙Ｐ２の先端がカラーの感光ドラム１１と転写ローラ１９との間を通過する前までの間、カラーの感光ドラム１１と転写ローラ１９との間の転写電流をＯＦＦする。そして、２枚目の用紙Ｐ２の先端がカラーの感光ドラム１１と転写ローラ１９との間を通過するときに、カラーの感光ドラム１１と転写ローラ１９との間の転写電流を再びＯＮする。【選択図】図６
2014002269.tif 000002
【特許請求の範囲】
【請求項１】
用紙を搬送するための搬送ベルトと、
黒色用の第１感光ドラムと、前記第１感光ドラムとの間で前記搬送ベルトを挟んで第１ニップを形成する第１転写部と、を有し、モノクロモードにおいてモノクロ画像を形成するための第１画像形成部と、
黒以外の色用の第２感光ドラムと、前記第２感光ドラムとの間で前記搬送ベルトを挟んで第２ニップを形成する第２転写部と、を有し、カラーモードにおいてカラー画像を形成するための第２画像形成部と、
前記第２ニップに流れる転写電流を制御するための制御装置であって、前記モノクロモード時に前記搬送ベルトによって第１用紙および第２用紙がこの順で連続して搬送されるときに、前記第１用紙および前記第２用紙が前記第２ニップを通過している第１期間において第１転写電流を、前記第１用紙と前記第２用紙との紙間である第２期間において前記第１転写電流よりも小さい第２転写電流を流す制御装置と、を備えたことを特徴とする画像形成装置。
【請求項２】
前記第２転写電流は、０であることを特徴とする請求項１に記載の画像形成装置。
【請求項３】
前記制御装置は、前記カラーモード時に前記搬送ベルトによって第１用紙および第２用紙がこの順で連続して搬送されるときに、前記第１期間において、前記第１転写電流よりも大きな第３転写電流を流すことを特徴とする請求項１または２に記載の画像形成装置。
【請求項４】
前記第１画像形成部は、前記第１感光ドラムの表面を帯電するための第１帯電部材を有し、
前記第２画像形成部は、前記第２感光ドラムの表面を帯電するための第２帯電部材を有し、
前記制御装置は、前記第１帯電部材および前記第２帯電部材を制御することにより、前記モノクロモードで画像を形成するときに、前記第１感光ドラムを第１帯電バイアスに帯電させ、前記第２感光ドラムを前記第１帯電バイアスよりも絶対値が小さい第２帯電バイアスに帯電させることを特徴とする、請求項１ないし３のいずれか一項に記載の画像形成装置。
【請求項５】
前記制御装置は、前記モノクロモードで画像を形成するときに、前記第２帯電バイアスが、前記カラーモードで画像を形成するときにおける前記第２感光ドラムの帯電電位としての第３帯電バイアスの絶対値よりも小さくなるように制御することを特徴とする、請求項４に記載の画像形成装置。
【請求項６】
前記第２画像形成部は、前記第２感光ドラムに接触され、前記第２感光ドラムの表面に付着された現像剤を保持するための保持部材を有することを特徴とする請求項４または５に記載の画像形成装置。
【請求項７】
前記制御装置は、前記第２帯電部材を制御することにより、前記モノクロモードで画像を形成するときに、前記第１期間に対応する期間において、前記第２感光ドラムを前記第２帯電バイアスに帯電させ、前記第２期間に対応する期間において、前記第２感光ドラムを前記第２帯電バイアスの絶対値よりも大きい第４帯電バイアスに帯電させることを特徴とする、請求項６に記載の画像形成装置。
【請求項８】
前記第１帯電部材および前記第２帯電部材は、スコロトロン型の帯電器であることを特徴とする、請求項４ないし７のいずれか一項に記載の画像形成装置。
【請求項９】
前記第１画像形成部は、用紙搬送方向において、前記第２画像形成部よりも上流側に配置されていることを特徴とする、請求項４ないし８のいずれか一項に記載の画像形成装置。
【請求項１０】
黒以外の色用の第３感光ドラムと、前記第３感光ドラムとの間で前記搬送ベルトを挟んで第３ニップを形成する第３転写部と、前記第３感光ドラムの表面を帯電するための第３帯電部材を有し、カラーモードにおいて前記第２画像形成部とともに使用されてカラー画像を形成するための第３画像形成部をさらに有し、
前記第３画像形成部は、用紙の搬送方向において、前記第１画像形成部の直後の下流、かつ、前記第２画像形成部より上流に配置され、
前記制御装置は、前記第３帯電部材を制御することにより、前記モノクロモードで画像を形成するときに、前記第３感光ドラムを前記第２帯電バイアスよりも絶対値が大きい第５帯電バイアスに帯電させることを特徴とする、請求項４ないし９のいずれかに一項に記載の画像形成装置。
【請求項１１】
前記制御装置は、前記第３ニップに流れる転写電流を制御し、前記モノクロモード時に前記搬送ベルトによって第１用紙および第２用紙がこの順で連続して搬送されるときに、前記第１用紙および前記第２用紙が前記第３ニップを通過している第３期間および前記第１用紙と前記第２用紙との紙間である第４期間において第５転写電流を流すことを特徴とする、請求項１０に記載の画像形成装置。
【請求項１２】
前記制御装置は、前記第１用紙内に区画される画像形成領域の後端と、前記第１用紙の後端との間の部分が、前記第２ニップを通過するときに、前記第２転写電流を流すことを特徴とする請求項１ないし１０のいずれか一項に記載の画像形成装置。
【請求項１３】
前記制御装置は、前記第２用紙内に区画される画像形成領域の先端と、前記第２用紙の先端との間の部分が、前記第２ニップを通過するときに、前記第１転写電流を流すことを特徴とする、請求項１ないし１１のいずれかに記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、各色に対応して設けられる複数の感光体を備え、各感光体上に形成された現像剤像を直接用紙に転写するダイレクトタンデム方式のカラープリンタが知られている。
【０００３】
例えば、ブラック、イエロー、マゼンタ、シアンの各色に対応して設けられる４つの感光体ドラムと、全ての感光体ドラムに接触されるように用紙を搬送する搬送ベルトと、４つの感光体ドラムのそれぞれに対応して設けられる４つの転写ローラとを備えるカラープリンタが提案されている（たとえば、特許文献１参照。）。
【０００４】
このカラープリンタでは、モノクロ印刷時に、カラー印刷用の感光体ドラムと転写ローラとの間に転写電流を流すことにより、モノクロ画像が転写された用紙からカラーの感光体ドラムへのモノクロ画像の逆転写を抑制している。
【先行技術文献】
【特許文献】
【０００５】
【特許文献１】特開２０１０−２７６９７６号公報
【発明の概要】
【発明が解決しようとする課題】
【０００６】
しかるに、上記した特許文献１に記載のカラープリンタでは、複数枚の用紙に連続してモノクロ印刷する場合に、紙間（先に印刷される用紙が通過した後に、その次に印刷される用紙が給紙されるまでの期間）においても、カラー印刷用の感光体ドラムと転写ローラとの間に用紙の通過時と同じ転写電流を流しているため、消費電力を抑えることが困難な場合がある。
【０００７】
そこで、本発明の目的は、消費電力を抑えることができる画像形成装置を提供することにある。
【課題を解決するための手段】
【０００８】
（１）上記した課題を解決するため、本発明の画像形成装置は、用紙を搬送するための搬送ベルトと、黒色用の第１感光ドラムと、第１感光ドラムとの間で搬送ベルトを挟んで第１ニップを形成する第１転写部とを有し、モノクロモードにおいてモノクロ画像を形成するための第１画像形成部と、黒以外の色用の第２感光ドラムと、第２感光ドラムとの間で搬送ベルトを挟んで第２ニップを形成する第２転写部とを有し、カラーモードにおいてカラー画像を形成するための第２画像形成部と、第２ニップに流れる転写電流を制御するための制御装置とを備える。
【０００９】
制御装置は、モノクロモード時に搬送ベルトによって第１用紙および第２用紙がこの順で連続して搬送されるときに、第１用紙および第２用紙が第２ニップを通過している第１期間において第１転写電流を、第１用紙と第２用紙との紙間である第２期間において第１転写電流よりも小さい第２転写電流を流す。
【００１０】
このような構成によれば、制御装置は、第１用紙と第２用紙との紙間である第２期間において、第２ニップには、第１転写電流よりも小さい第２転写電流を流す。
【００１１】
そのため、モノクロモード時において連続して搬送される複数の用紙（第１用紙および第２用紙）に印刷する場合に、カラー画像を形成するための第２画像形成部の消費電力を抑制することができる。
【００１２】
その結果、画像形成装置の消費電力を抑えることができる。
（２）第２転写電流は、０であってもよい。
【００１３】
このような構成によれば、モノクロモード時の連続印刷の場合において、第２画像形成部の消費電力を、より抑制することができる。
（３）制御装置は、カラーモード時に搬送ベルトによって第１用紙および第２用紙がこの順で連続して搬送されるときに、第１期間において、第１転写電流よりも大きな第３転写電流を流してもよい。
【００１４】
このような構成によれば、モノクロモード時の連続印刷における第１転写電流を、カラーモード時の連続印刷における第３転写電流に対して、小さく設定することができる。
【００１５】
そのため、モノクロモード時の連続印刷の場合において、第２画像形成部の消費電力を、より抑制することができる。
（４）第１画像形成部は、第１感光ドラムの表面を帯電するための第１帯電部材を有してもよい。また、第２画像形成部は、第２感光ドラムの表面を帯電するための第２帯電部材を有してもよい。
【００１６】
この場合、制御装置は、第１帯電部材および第２帯電部材を制御することにより、モノクロモードで画像を形成するときに、第１感光ドラムを第１帯電バイアスに帯電させ、第２帯電部材を第１帯電バイアスよりも絶対値が小さい第２帯電バイアスに帯電させる。
【００１７】
このような構成によれば、モノクロモードで画像を形成するときに、カラー画像を形成するための第２感光ドラムの第２帯電バイアスの絶対値を、モノクロ画像を形成するための第１感光ドラムの第１帯電バイアスの絶対値よりも小さく設定することができる。
【００１８】
そのため、モノクロモード時の連続印刷の場合において、第２画像形成部の消費電力を、より抑制することができる。
（５）制御装置は、モノクロモードで画像を形成するときに、第２帯電バイアスが、カラーモードで画像を形成するときにおける第２感光ドラムの帯電電位としての第３帯電バイアスの絶対値よりも小さくなるように制御してもよい。
【００１９】
このような構成によれば、モノクロモード時の連続印刷の場合において、第２画像形成部の消費電力を、より抑制することができる。
（６）第２画像形成部は、第２感光ドラムに接触され、第２感光ドラムの表面に付着された現像剤を保持するための保持部材を有してもよい。
【００２０】
このような構成によれば、第１用紙と第２用紙との紙間において第２ニップに第１転写電流が流れ続けていると、カラー画像を形成するための第２感光ドラムと第２転写部との間に過度に電流が流れ、その電流によって、第２感光ドラムの帯電電位が、現像剤の帯電極性に対して変動し、保持部材で回収した現像剤が、第２感光ドラムへの再付着するおそれがある。
【００２１】
しかし、本発明の画像形成装置では、上記のように、第１用紙と第２用紙との紙間において、第２ニップに第１転写電流よりも小さい第２転写電流を流す。
【００２２】
そのため、第１用紙と第２用紙との紙間において、第２感光ドラムと第２転写部との間に過度に電流が流れることを抑制することができる。
【００２３】
その結果、第２感光ドラムの帯電極性が変動することを抑制することができ、保持部材で回収した現像剤が、第２感光ドラムへの再付着することを抑制することできる。
（７）制御装置は、第２帯電部材を制御することにより、モノクロモードで画像を形成するときに、第１期間に対応する期間において、第２感光ドラムを第２帯電バイアスに帯電させ、第２期間に対応する期間において、第２感光ドラムを第２帯電バイアスの絶対値よりも大きい第４帯電バイアスに帯電させてもよい。
【００２４】
このような構成によれば、予め、第２期間に対応する期間において、第２感光ドラムを、第２帯電バイアスの絶対値よりも大きい第４帯電バイアスで帯電させることで、第２期間において、第２感光ドラムと第２転写部との間に過度に電流が流れることを予防することができる。
【００２５】
その結果、保持部材で回収した現像剤が第２感光ドラムへの再付着することを、確実に抑制することできる。
（８）第１帯電部材および第２帯電部材は、スコロトロン型の帯電器であってもよい。
【００２６】
このような構成によれば、第１帯電部材および第２帯電部材から発生するオゾンを低減することができる。
（９）第１画像形成部は、用紙搬送方向において、第２画像形成部よりも上流側に配置されてもよい。
【００２７】
このような構成によれば、第１画像形成部により用紙上に形成された現像剤像が、用紙搬送方向において下流側の第２画像形成部において、第２感光ドラムに逆転写するおそれがある。
【００２８】
しかし、本発明の画像形成装置では、上記のように、第１用紙および第２用紙が第２ニップを通過している第１期間において、第２ニップに第１転写電流を流している。
【００２９】
そのため、第１画像形成部により用紙上に形成された現像剤像が第２感光ドラムに逆転写することを抑制できる。
（１０）本発明の画像形成装置は、黒以外の色用の第３感光ドラムと、第３感光ドラムとの間で搬送ベルトを挟んで第３ニップを形成する第３転写部と、第３感光ドラムの表面を帯電するための第３帯電部材を有し、カラーモードにおいて第２画像形成部とともに使用されてカラー画像を形成するための第３画像形成部をさらに有してもよい。また、第３画像形成部は、用紙の搬送方向において、第１画像形成部の直後の下流、かつ、第２画像形成部より上流に配置されてもよい。
【００３０】
この場合、制御装置は、第３帯電部材を制御することにより、モノクロモードで画像を形成するときに、第３感光ドラムを第２帯電バイアスよりも絶対値が大きい第５帯電バイアスに帯電させてもよい。
【００３１】
このような構成によれば、第５帯電バイアスによって、第３感光ドラムの帯電電位の絶対値を高く設定することができる。
【００３２】
そのため、第１画像形成部により形成された用紙上の現像剤像が、第３感光ドラムに逆転写することを抑制できる。
（１１）制御装置は、第３ニップに流れる転写電流を制御し、モノクロモード時に搬送ベルトによって第１用紙および第２用紙がこの順で連続して搬送されるときに、第１用紙および第２用紙が第３ニップを通過している第３期間および第１用紙と第２用紙との紙間である第４期間において第５転写電流を流してもよい。
【００３３】
このような構成によれば、モノクロモード時において、第３ニップに、常時、第５転写電流を流すことができる。
【００３４】
そのため、第１画像形成部により形成された用紙上の現像剤像が、第３感光ドラムへ逆転写することを、より抑制することができる。
（１２）制御装置は、第１用紙内に区画される画像形成領域の後端と、第１用紙の後端との間の部分が、第２ニップを通過するときに、第２転写電流を流してもよい。
【００３５】
このような構成によれば、第１用紙の後端が第２ニップを通過する前において、確実に、第２ニップに第２転写電流を流すことができる。
（１３）制御装置は、第２用紙内に区画される画像形成領域の先端と、第２用紙の先端との間の部分が、第２ニップを通過するときに、第１転写電流を流してもよい。
【００３６】
このような構成によれば、画像形成領域内において、第１画像形成部により用紙上に形成された現像剤像が第２感光ドラムに逆転写することを、確実に抑制できる。
【発明の効果】
【００３７】
本発明の画像形成装置によれば、画像形成装置の消費電力を抑えることができる。
【図面の簡単な説明】
【００３８】
【図１】図１は、本発明の画像形成装置の一例としてのプリンタを示す側断面図である。
【図２】図２は、モノクロモードで画像を形成する場合であって、１枚目の用紙の後端がブラック感光ドラムとブラック転写ローラとの間を通過し、２枚目の用紙の先端がブラック感光ドラムとブラック転写ローラとの間に給紙される様子を説明する説明図である。
【図３】図３は、モノクロモードで画像を形成する場合であって、１枚目の用紙の後端がマゼンタ感光ドラムとマゼンタ転写ローラとの間を通過する様子を説明する説明図である。
【図４】図４は、モノクロモードで画像を形成する場合であって、２枚目の用紙の先端がマゼンタ感光ドラムとマゼンタ転写ローラとの間を通過する様子を説明する説明図である。
【図５】図５は、モノクロモードで画像を形成する場合であって、１枚目の用紙の後端がシアン感光ドラムとシアン転写ローラとの間を通過する様子を説明する説明図である。
【図６】図６は、モノクロモードで画像を形成する場合における転写バイアスのＯＮ、ＯＦＦ切り替えを示すタイミングチャートである。
【図７】図７は、本発明の第２実施形態を説明する説明図である。
【発明を実施するための形態】
【００３９】
１．プリンタの全体構成
図１に示すように、画像形成装置の一例としてのプリンタ１は、横置きタイプのダイレクトタンデム型カラーレーザプリンタである。
【００４０】
なお、以下の説明において、方向について言及する場合には、プリンタ１を水平に載置した状態を基準として、図１における紙面左側を前側とし、図１における紙面右側を後側とする。また、プリンタ１を前側から見たときを左右の基準とする。すなわち、図１の紙面手前側が右側であり、紙面奥側が左側である。
【００４１】
プリンタ１は、略ボックス形状の本体ケーシング２を備えている。本体ケーシング２の前端部には、本体ケーシング２の内外を連通する本体開口部３が形成されている。また、本体ケーシング２の前壁には、本体開口部３を開閉するフロントカバー４が設けられている。
【００４２】
また、プリンタ１は、本体ケーシング２内において、スキャナ部５、プロセス部６、搬送部７、および定着部８を備えている。
【００４３】
スキャナ部５は、本体ケーシング２の上端部に配置されている。スキャナ部５は、プロセス部６の感光ドラム１１（後述）に向かって、画像データに基づいてレーザービームを出射し（図１破線参照）、感光ドラム１１（後述）を露光する。
【００４４】
プロセス部６は、スキャナ部５の下側であって、搬送部７の上側に配置されている。プロセス部６は、前後方向にスライド可能であり、本体開口部３を介して本体ケーシング２外に引き出し可能に構成されている。
【００４５】
プロセス部６は、第１画像形成部の一例としてのブラックプロセス部６Ｋ、第３画像形成部の一例としてのイエロープロセス部６Ｙ、第２画像形成部の一例としてのマゼンタプロセス部６Ｍおよびシアンプロセス部６Ｃ、を有している。
【００４６】
各プロセス部６Ｋ、６Ｙ、６Ｍ、６Ｃは、ブラック、イエロー（カラーの一例）、マゼンタ（カラーの一例）、シアン（カラーの一例）の順に、互いに前後方向（並列方向および搬送方向）に間隔を隔てて並列配置されている。各プロセス部６Ｋ、６Ｙ、６Ｍ、６Ｃは、感光ドラム１１と、スコロトロン型帯電器１２と、ドラムクリーニングローラ９と、現像カートリッジ１０と、転写ローラ１９とを備えている。
【００４７】
各感光ドラム１１は、左右方向に長手の円筒形状に形成されており、対応するプロセス部６に回転可能に支持されている。また、感光ドラム１１は、接地されている。
【００４８】
なお、ブラックプロセス部６Ｋに支持されるブラック感光ドラム１１Ｋが第１感光ドラムの一例であり、マゼンタプロセス部６Ｍに支持されるマゼンタ感光ドラム１１Ｍ、および、シアンプロセス部６Ｃに支持されるシアン感光ドラム１１Ｃが第２感光ドラムの一例であり、イエロープロセス部６Ｙに支持されるイエロー感光ドラム１１Ｙが第３感光ドラムの一例である。
【００４９】
各スコロトロン型帯電器１２は、対応する感光ドラム１１の後上側に間隔を隔てて対向配置されている。
【００５０】
なお、ブラック感光ドラム１１Ｋに対向されるスコロトロン型帯電器１２Ｋが第１帯電部材の一例であり、マゼンタ感光ドラム１１Ｍに対向されるスコロトロン型帯電器１２Ｍ、および、シアン感光ドラム１１Ｃに対向されるスコロトロン型帯電器１２Ｃが第２帯電部材の一例であり、イエロー感光ドラム１１Ｙに対向されるスコロトロン型帯電器１２Ｙが第３帯電部材の一例である。
【００５１】
各ドラムクリーニングローラ９は、対応するスコロトロン型帯電器１２の後下側に配置され、対応する感光ドラム１１に後側から接触されている。
【００５２】
なお、マゼンタ感光ドラム１１Ｍに対向されるドラムクリーニングローラ９Ｍ、および、シアン感光ドラム１１Ｃに対向されるドラムクリーニングローラ９Ｃが保持部材の一例である。
【００５３】
各現像カートリッジ１０は、対応する感光ドラム１１の上側において、対応するプロセス部６に着脱自在に支持されている。また、現像カートリッジ１０は、現像ローラ１３を備えている。
【００５４】
現像ローラ１３は、現像カートリッジ１０の下端部において、後側から露出されるように回転可能に支持されている。また、現像ローラ１３は、感光ドラム１１に対して上側から接触されている。
【００５５】
なお、現像カートリッジ１０は、現像ローラ１３にトナーを供給する供給ローラ１４、現像ローラ１３に供給されたトナーの厚みを規制する層厚規制ブレード（図示せず）を備え、それらの上側の空間には、各色に対応する現像剤の一例としてのトナーが収容されている。
【００５６】
各転写ローラ１９は、対応する感光ドラム１１に対して、後述する搬送ベルト１８の上側部分を挟んで対向配置されている。転写ローラ１９には、負極性の転写バイアスが印加される。この転写バイアスにより、転写ローラ１９と感光ドラム１１との間に転写電流が流れる。
【００５７】
なお、ブラック感光ドラム１１Ｋに対向されるブラック転写ローラ１９Ｋが第１転写部の一例であり、マゼンタ感光ドラム１１Ｍに対向されるマゼンタ転写ローラ１９Ｍ、および、シアン感光ドラム１１Ｃに対向されるシアン転写ローラ１９Ｃが第２転写部の一例であり、イエロー感光ドラム１１Ｙに対向されるイエロー転写ローラ１９Ｙが第３転写部の一例である。
【００５８】
搬送部７は、各プロセス部６の下側に配置されている。搬送部７は、駆動ローラ１６、従動ローラ１７および搬送ベルト１８を備えている。
【００５９】
駆動ローラ１６は、搬送部７の後端部に配置されている。
【００６０】
従動ローラ１７は、駆動ローラ１６の前側に間隔を隔てて対向配置されるように、搬送部７の前端部に配置されている。
【００６１】
搬送ベルト１８は、その上側部分がすべての感光ドラム１１と接触するように、駆動ローラ１６および従動ローラ１７の周りに巻回されている。搬送ベルト１８は、駆動ローラ１６の駆動、および、従動ローラ１７の従動により、その上側部分が前側から後側へ向かって移動するように、周回移動される。
【００６２】
定着部８は、搬送部７の後側に配置され、加熱ローラ２０、および、加熱ローラ２０に対向する加圧ローラ２１を備えている。
【００６３】
そして、プリンタ１の画像形成動作が実施されると、現像カートリッジ１０内のトナーは、供給ローラ１４と現像ローラ１３との間で正極性に摩擦帯電され、層厚規制ブレード（図示せず）により、一定厚さの薄層として現像ローラ１３の表面に担持される。
【００６４】
一方、感光ドラム１１の表面には、感光ドラム１１の後上側に対向配置されるスコロトロン型帯電器１２によって一様に帯電された後、スキャナ部５によって所定の画像データに基づいて露光されることにより、画像データに基づく静電潜像が形成される。そして、現像ローラ１３に担持されるトナーが感光ドラム１１の表面上の静電潜像に供給されることにより、感光ドラム１１の表面上にトナー像（現像剤像）が担持される。
【００６５】
用紙Ｐは、本体ケーシング２の底部に設けられる給紙トレイ２２内に収容されており、各種ローラによって、後上側へＵターンするように搬送されて、所定のタイミングで１枚ずつ、感光ドラム１１と搬送ベルト１８との間に給紙される。そして、搬送ベルト１８によって、感光ドラム１１と転写ローラ１９との間を前側から後側に向かって搬送される。このとき、転写バイアスにより、用紙Ｐにトナー像が転写される。
【００６６】
そして、トナー像が転写された用紙Ｐは、加熱ローラ２０と加圧ローラ２１との間を通過するときに加熱および加圧される。このとき、用紙Ｐにトナー像が熱定着される。
【００６７】
その後、用紙Ｐは、前上側へＵターンするように搬送されて、本体ケーシング２の上面に設けられる排紙トレイ２３に排紙される。
２．スコロトロン型帯電器、転写ローラおよびドラムクリーニングローラの詳細
（１）スコロトロン型帯電器
スコロトロン型帯電器１２は、図２に示すように、グリッド３１と帯電ワイヤ３２とを備えている。
【００６８】
グリッド３１は、左右方向に延び、上端部が後上側へ向かって開放された断面視略Ｕ字形の筒形状に形成されている。
【００６９】
帯電ワイヤ３２は、グリッド３１内に配置されている。帯電ワイヤ３２は、左右方向に延びる略直線形状に形成されている。
（２）転写ローラ
転写ローラ１９は、転写ローラ軸３３と転写ローラ本体３４とを備えている。
【００７０】
転写ローラ軸３３は、金属から左右方向に延びる略円柱形状に形成されている。
【００７１】
転写ローラ本体３４は、導電性の樹脂の弾性材料などから、左右方向に延びる略円筒形状に形成され、転写ローラ軸３３の左右方向両端部を露出するように、転写ローラ軸３３を被覆している。
（３）ドラムクリーニングローラ
ドラムクリーニングローラ９は、ドラムクリーニングローラ軸３５とドラムクリーニングローラ本体３６とを備えている。
【００７２】
ドラムクリーニングローラ軸３５は、金属からなり、左右方向に延びる略円柱形状に形成されている。
【００７３】
ドラムクリーニングローラ本体３６は、半導電性のシリコーン樹脂やウレタン樹脂の発泡体などから形成されている。ドラムクリーニングローラ本体３６は、左右方向に延びる略円筒形状に形成され、ドラムクリーニングローラ軸３５の左右方向両端部を露出するように、ドラムクリーニングローラ軸３５を被覆している。
３．プリンタの電気的構成
本体ケーシング２内には、図２に示すように、プリンタ１の動作を制御するための制御装置の一例としての制御部４１と、センサ４０とが設けられている。
【００７４】
制御部４１は、電源基板４２と、ＣＰＵ４３とを備えている。
【００７５】
電源基板４２は、電源４４と、スコロトロン型帯電器１２に電力を供給するための帯電回路４５と、転写ローラ１９に電力を供給するための転写回路４６と、ドラムクリーニングローラ９に電力を供給するためのドラムクリーニング回路４７とを備えている。
【００７６】
電源４４は、電源基板４２内において、配線を介して、帯電回路４５、転写回路４６、および、ドラムクリーニング回路４７に電気的に接続されている。
【００７７】
帯電回路４５は、配線を介して、スコロトロン型帯電器１２のグリッド３１および帯電ワイヤ３２に電気的に接続されている。帯電回路４５は、ＣＰＵ４３の制御に基づいて、電源４４からの電圧を、所定の電圧に調整してスコロトロン型帯電器１２のグリッド３１および帯電ワイヤ３２に印加する。
【００７８】
転写回路４６は、配線を介して、転写ローラ１９の転写ローラ軸３３に電気的に接続されている。転写回路４６は、ＣＰＵ４３の制御に基づいて、電源４４からの電圧を、所定の転写バイアスに調整して転写ローラ軸３３に印加する。
【００７９】
ドラムクリーニング回路４７は、配線を介して、ドラムクリーニングローラ９のドラムクリーニングローラ軸３５に電気的に接続されている。ドラムクリーニング回路４７は、ＣＰＵ４３の制御に基づいて、電源４４からの電圧を、所定のドラムクリーニングバイアスに調整してドラムクリーニングローラ軸３５に印加する。
【００８０】
ＣＰＵ４３は、信号配線を介して、帯電回路４５、転写回路４６、および、ドラムクリーニング回路４７に電気的に接続されている。
【００８１】
センサ４０は、最前方のブラック感光ドラム１１Ｋの前側に配置されている。センサ４０は、信号配線を介して、ＣＰＵ４３に電気的に接続されている。センサ４０は、光センサやアクチュエータを備えるメカセンサなどからなり、ブラック感光ドラム１１Ｋとブラック転写ローラ１９Ｋとの間への用紙Ｐの先端（搬送方向下流側端部）および後端（搬送方向上流側端部）の通過を検知して、検知信号をＣＰＵ４３に送信する。
４．画像形成動作
（１）カラーモード
プリンタ１は、図１に示すように、用紙Ｐにカラー画像を形成するときには、全ての現像ローラ１３がそれぞれ対応する感光ドラム１１に接触されて、カラーモードに切り替えられる。
（１−１）電力の供給
カラーモードで上記した画像形成動作が実施されるときには、制御部４１は、すべてのスコロトロン型帯電器１２の帯電ワイヤ３２およびグリッド３１のそれぞれに、所定の電圧を印加する。
【００８２】
より具体的には、ブラック感光ドラム１１Ｋの表面は、スキャナ部５によって露光される前において、例えば、＋８２０Ｖの帯電電位で帯電される。
【００８３】
また、イエロー感光ドラム１１Ｙの表面は、スキャナ部５によって露光される前において、例えば、＋８２０Ｖの帯電電位で帯電される。
【００８４】
また、マゼンタ感光ドラム１１Ｍおよびシアン感光ドラム１１Ｃの表面は、スキャナ部５によって露光される前において、例えば、第３帯電バイアスＶ３の一例である、＋８２０Ｖの帯電電位で帯電される。
【００８５】
これにより、すべての感光ドラム１１の表面は、スキャナ部５によって露光される前において、例えば、＋８２０Ｖの帯電電位で帯電される。
【００８６】
なお、感光ドラム１１の帯電電位は、転写電流が流れたときに負極性とならないように、調整される。
【００８７】
また、制御部４１は、複数の転写ローラ１９のそれぞれに転写バイアス（負極性）を印加する。なお、制御部４１は、感光ドラム１１と、対応する転写ローラ１９との間に流れる転写電流を一定に保つように、転写バイアスを制御する（定電流制御）。
【００８８】
これにより、ブラック感光ドラム１１Ｋとブラック転写ローラ１９Ｋとの間には、例えば、−１１μＡの転写電流が流される。
【００８９】
また、イエロー感光ドラム１１Ｙとイエロー転写ローラ１９Ｙの間には、例えば、−８μＡの転写電流が流される。
【００９０】
また、マゼンタ感光ドラム１１Ｍとマゼンタ転写ローラ１９Ｍの間、および、シアン感光ドラム１１Ｃとシアン転写ローラ１９Ｃの間には、例えば、−１０μＡの転写電流（第３の転写電流の一例）が流される。
【００９１】
また、制御部４１は、複数のドラムクリーニングローラ９Ｋ、９Ｙ、９Ｍ、９Ｃのそれぞれに、例えば、−３００Ｖのドラムクリーニングバイアスを印加する。
（１−２）転写動作
そして、カラーモードにおいて、連続して搬送される複数（２枚）の用紙Ｐに対して上記した画像形成動作が実施されると、各用紙Ｐが感光ドラム１１と転写ローラ１９との対向部分を通過するときに、感光ドラム１１に担持されているトナー像が用紙Ｐに転写される。
【００９２】
なお、このとき、感光ドラム１１の周面には、用紙Ｐに転写されなかったトナーが残存する場合がある。
【００９３】
感光ドラム１１の周面に残存する転写残トナーは、感光ドラム１１の回転（右側面視反時計回り方向の回転）に伴って、ドラムクリーニングローラ９に対向される。すると、転写残トナーは、ドラムクリーニングバイアスによって、ドラムクリーニングローラ９の周面に静電気的に保持される。
（２）モノクロモード
プリンタ１は、図２に示すように、用紙Ｐにモノクロ画像を形成するときには、ブラックの現像ローラ１３がブラック感光ドラム１１Ｋに接触されるとともに、公知の離間機構によりカラー（イエロー、マゼンタ、シアン）の現像ローラ１３がそれぞれ対応する感光ドラム１１から離間されて、モノクロモードに切り替えられる。
（２−１）電力の供給
モノクロモードで上記した画像形成動作が実施されるときには、ブラック感光ドラム１１Ｋの表面は、スキャナ部５によって露光される前において、例えば、第１帯電バイアスＶ１の一例である、＋７６０Ｖの帯電電位で帯電される。
【００９４】
また、イエロー感光ドラム１１Ｙの表面は、例えば、第５帯電バイアスＶ５の一例としての、＋７６０Ｖの帯電電位で帯電される。
【００９５】
また、マゼンタ感光ドラム１１Ｍおよびシアン感光ドラム１１Ｃの表面は、紙間に相当する期間において、例えば、第４帯電バイアスＶ４の一例である、+４００Ｖの帯電電位で帯電され、それ以外の期間において、第２帯電バイアスＶ２の一例である、例えば、＋１００Ｖの帯電電位で帯電される。
【００９６】
なお、紙間に相当する期間とは、先に印刷される用紙（例えば、後述する１枚目の用紙Ｐ１）と、その次に印刷される用紙（例えば、後述する２枚目の用紙Ｐ２）との間に相当する期間である。
【００９７】
また、ブラック感光ドラム１１Ｋとブラック転写ローラ１９Ｋとの間には、例えば、−１１μＡの転写電流が流される。
【００９８】
また、イエロー感光ドラム１１Ｙとイエロー転写ローラ１９Ｙの間には、例えば、−８μＡの転写電流（第５転写電流の一例）が流される。
【００９９】
また、マゼンタ感光ドラム１１Ｍとマゼンタ転写ローラ１９Ｍの間、および、シアン感光ドラム１１Ｃとシアン転写ローラ１９Ｃの間には、例えば、−３μＡの転写電流（第１転写電流の一例）が流される。
【０１００】
また、制御部４１は、複数のドラムクリーニングローラ９Ｋ、９Ｙ、９Ｍ、９Ｃのそれぞれに、例えば、−３００Ｖのドラムクリーニングバイアスを印加する。
（２−２）転写動作
ここでは、モノクロモードにおいて、連続して搬送される複数（２枚）の用紙Ｐに対しての転写動作について説明する。
【０１０１】
画像形成動作が実施されると、まず、第１用紙の一例としての１枚目の用紙Ｐ１の先端が、上記したように、ブラック感光ドラム１１Ｋとブラック転写ローラ１９Ｋとの対向部分（第１ニップ）に給紙される。
【０１０２】
すると、センサ４０によって、１枚目の用紙Ｐ１の先端の通過が検知される（図６におけるＴ０）。
【０１０３】
そして、センサ４０により１枚目の用紙Ｐ１の先端が検知されると、ブラック転写ローラ１９Ｋに転写バイアスが印加される。
【０１０４】
そして、用紙Ｐ１の画像形成領域Ｉがブラック感光ドラム１１Ｋとブラック転写ローラ１９Ｋとの対向部分を通過するときに、１枚目の用紙Ｐ１の画像形成領域Ｉに、黒色のトナー像が転写される。
【０１０５】
なお、画像形成領域Ｉは、用紙Ｐ（１枚目の用紙Ｐ１、および、２枚目の用紙Ｐ２（後述））の周端縁から前後左右に所定のマージンが形成されるように、用紙Ｐ内に区画されている。
【０１０６】
次いで、１枚目の用紙Ｐ１の先端は、イエロー感光ドラム１１Ｙとイエロー転写ローラ１９Ｙとの対向部分（第３ニップ）を通過した後、マゼンタ感光ドラム１１Ｍとマゼンタ転写ローラ１９Ｍとの対向部分（第２ニップ）を通過し（図６におけるＴ１）、その後、シアン感光ドラム１１Ｃとシアン転写ローラ１９Ｃとの対向部分（第２ニップ）を通過する（図６におけるＴ２）。
【０１０７】
なお、１枚目の用紙Ｐ１の先端がシアン感光ドラム１１Ｃとシアン転写ローラ１９Ｃとの対向部分を通過した直後に、センサ４０によって、１枚目の用紙Ｐ１の後端の通過が検知される（図６におけるＴ３）。
【０１０８】
その後、図２および図６に示すように、１枚目の用紙Ｐ１に連続して、第２用紙の一例としての２枚目の用紙Ｐ２がブラック感光ドラム１１Ｋとブラック転写ローラ１９Ｋとの対向部分に給紙される。
【０１０９】
このとき、センサ４０によって、２枚目の用紙Ｐ２の先端の通過が検知される（図６におけるＴ４）。
【０１１０】
そして、制御部４１は、図３および図６に示すように、１枚目の用紙Ｐ１の後端（画像形成領域Ｉの後端と、用紙Ｐ１の後端との間の部分）が、マゼンタ感光ドラム１１Ｍとマゼンタ転写ローラ１９Ｍとの対向部分を通過するとき（図６におけるＴ７）に、マゼンタ転写ローラ１９Ｍに対する転写バイアスの印加をＯＦＦする（図６におけるＴ１〜Ｔ７は、第１期間に相当する。）。
【０１１１】
これにより、マゼンタ感光ドラム１１Ｍとマゼンタ転写ローラ１９Ｍの間には、転写電流が流れない。すなわち、第２転写電流は、０である。
【０１１２】
なお、マゼンタ転写ローラ１９Ｍに対する転写バイアスの印加をＯＦＦする時点（Ｔ７）は、用紙Ｐ１の後端がセンサ４０によって検知された時点（Ｔ３）を基準として、用紙Ｐ１の後端がマゼンタ感光ドラム１１Ｍに接触される時点として設定される。具体的には、マゼンタ転写ローラ１９Ｍに対する転写バイアスの印加をＯＦＦする時点（Ｔ７）は、用紙Ｐ１の後端がセンサ４０によって検知された時点（Ｔ３）から、例えば、１．５秒後に設定される。
【０１１３】
また、制御部４１は、１枚目の用紙Ｐ１の画像形成領域Ｉがマゼンタ感光ドラム１１Ｍとマゼンタ転写ローラ１９Ｍとの対向部分を通過しているときには、マゼンタ転写ローラ１９Ｍに転写バイアスを印加し続ける。
【０１１４】
また、制御部４１は、１枚目の用紙Ｐ１の後端が、ブラック感光ドラム１１Ｋとブラック転写ローラ１９Ｋとの対向部分およびイエロー感光ドラム１１Ｙとイエロー転写ローラ１９Ｙとの対向部分を通過した後でも、ブラック転写ローラ１９Ｋおよびイエロー転写ローラ１９Ｙには、転写バイアスを印加し続ける。
【０１１５】
つまり、制御部４１は、１枚目の用紙Ｐ１がイエロー感光ドラム１１Ｙとイエロー転写ローラ１９Ｙとの対向部分を通過している期間（第３期間）、および、紙間に相当する期間（第４期間）において、−８μＡの転写電流（第５転写電流の一例）を流し続ける。
【０１１６】
また、このとき、２枚目の用紙Ｐ２の先端は、イエロー感光ドラム１１Ｙとイエロー転写ローラ１９Ｙとの対向部分を通過し、マゼンタ感光ドラム１１Ｍとマゼンタ転写ローラ１９Ｍとの対向部分の手前（前側）まで搬送されている。２枚目の用紙Ｐ２の画像形成領域Ｉには、上記した１枚目の用紙Ｐ１の画像形成領域Ｉと同様に、ブラック感光ドラム１１Ｋとブラック転写ローラ１９Ｋとの対向部分を通過するときに、黒色のトナー像が転写される。
【０１１７】
そして、制御部４１は、図４および図６に示すように、２枚目の用紙Ｐ２の先端（用紙Ｐ２の先端と、画像形成領域Ｉの先端との間の部分）が、マゼンタ感光ドラム１１Ｍとマゼンタ転写ローラ１９Ｍとの対向部分を通過するとき（図６におけるＴ９）に、マゼンタ転写ローラ１９Ｍに対する転写バイアスの印加をＯＮする（図６におけるＴ７〜Ｔ９は、第２期間に相当する）。
【０１１８】
なお、マゼンタ転写ローラ１９Ｍに対する転写バイアスの印加をＯＮする時点（Ｔ９）は、用紙Ｐ２の先端がセンサ４０によって検知された時点（Ｔ４）を基準として、用紙Ｐ２の先端がマゼンタ感光ドラム１１Ｍに接触される時点として設定される。
【０１１９】
そして、制御部４１は、図５および図６に示すように、１枚目の用紙Ｐ１の後端（画像形成領域Ｉの後端と、用紙Ｐ１の後端との間の部分）が、シアン感光ドラム１１Ｃとシアン転写ローラ１９Ｃとの対向部分を通過するとき（図６におけるＴ１１）に、シアン転写ローラ１９Ｃに対する転写バイアスの印加をＯＦＦする（図６におけるＴ２〜Ｔ１１は、第１期間に相当する。）。
【０１２０】
これにより、シアン感光ドラム１１Ｃとシアン転写ローラ１９Ｃの間には、転写電流が流れない。すなわち、転写電流は、０となる。
【０１２１】
なお、シアン転写ローラ１９Ｃに対する転写バイアスの印加をＯＦＦする時点（Ｔ１１）は、用紙Ｐ１の後端がセンサ４０によって検知された時点（Ｔ３）を基準として、用紙Ｐ１の後端がシアン感光ドラム１１Ｃに接触される時点として設定される。
【０１２２】
また、制御部４１は、１枚目の用紙Ｐ１の画像形成領域Ｉがシアン感光ドラム１１Ｃとシアン転写ローラ１９Ｃとの対向部分を通過する前には、シアン転写ローラ１９Ｃに転写バイアスを印加し続ける。
【０１２３】
その後、制御部４１は、図６に示すように、２枚目の用紙Ｐ２の先端（用紙Ｐ２の先端と、画像形成領域Ｉの先端との間の部分）が、シアン感光ドラム１１Ｃとシアン転写ローラ１９Ｃとの対向部分を通過するとき（図６におけるＴ１２）に、シアン転写ローラ１９Ｃに対する転写バイアスの印加をＯＮする（図６におけるＴ１１〜Ｔ１２は、第２期間に相当する）。
【０１２４】
なお、シアン転写ローラ１９Ｃに対する転写バイアスの印加をＯＮする時点（Ｔ１２）は、用紙Ｐ２の先端がセンサ４０によって検知された時点（Ｔ４）を基準として、用紙Ｐ２の先端がシアン感光ドラム１１Ｃに接触される時点として設定される。
【０１２５】
その後、センサ４０によって、２枚目の用紙Ｐ２の後端の通過が検知された（図６におけるＴ１３）後、制御部４１は、２枚目の用紙Ｐ２の後端がブラック感光ドラム１１Ｋとブラック転写ローラ１９Ｋとの対向部分を通過した後、ブラック転写ローラ１９Ｋに対する転写バイアスの印加をＯＦＦするとともに、２枚目の用紙Ｐ２の後端がイエロー感光ドラム１１Ｙとイエロー転写ローラ１９Ｙとの対向部分を通過した後、イエロー転写ローラ１９Ｙに対する転写バイアスの印加をＯＦＦする。
【０１２６】
また、制御部４１は、２枚目の用紙Ｐ２の後端が、マゼンタ感光ドラム１１Ｍとマゼンタ転写ローラ１９Ｍとの対向部分を通過するとき（図６におけるＴ１４）に、マゼンタ転写ローラ１９Ｍに対する転写バイアスの印加をＯＦＦする（図６におけるＴ９〜Ｔ１４は、第１期間に相当する。）。
【０１２７】
また、制御部４１は、２枚目の用紙Ｐ２の後端が、シアン感光ドラム１１Ｃとシアン転写ローラ１９Ｃとの対向部分を通過するとき（図６におけるＴ１５）に、シアン転写ローラ１９Ｃに対する転写バイアスの印加をＯＦＦする（図６におけるＴ１２〜Ｔ１５は、第１期間に相当する。）。
【０１２８】
そして、連続して搬送される２枚の用紙Ｐに対しての転写動作が終了する。
（２−３）帯電動作
ここでは、図６を参照して、上記した転写動作に連動して実施される帯電動作について説明する。
【０１２９】
制御部４１は、マゼンタ転写ローラ１９Ｍに対する転写バイアスの印加をＯＦＦする（図６におけるＴ７）直前に、スコロトロン型帯電器１２Ｍを制御して、マゼンタ感光ドラム１１Ｍの帯電電位を、第４帯電バイアスＶ４（＋４００Ｖ）に調整する（図６におけるＴ５）。
【０１３０】
その後、制御部４１は、紙間に相当する期間の経過後、スコロトロン型帯電器１２Ｍを制御して、マゼンタ感光ドラム１１Ｍの帯電電位を、再び、第２帯電バイアスＶ２（＋１００Ｖ）に調整する（図６におけるＴ６）。すなわち、図６におけるＴ５〜Ｔ６は、紙間に対応している。
【０１３１】
詳しくは、マゼンタ感光ドラム１１Ｍの帯電電位を第２帯電バイアスＶ２から第４帯電バイアスＶ４へ変更する時点（Ｔ５）は、２枚目の用紙Ｐ２の先端がセンサ４０によって検知された時点（Ｔ４）を基準として、２枚目の用紙Ｐ２の先端がマゼンタ感光ドラム１１Ｍとマゼンタ転写ローラ１９Ｍとの対向部分を通過する時点（Ｔ９）から、マゼンタ感光ドラム１１Ｍのスコロトロン型帯電器１２Ｍに対する対向部分から第３ニップまでの右側面視反時計回り方向の周方向距離を周回する時間（例えば、０．３５秒）と、マゼンタ感光ドラム１１Ｍの１周分の時間（例えば、０．６秒）とを差し引いた時点として設定される。
【０１３２】
また、マゼンタ感光ドラム１１Ｍの帯電電位を第４帯電バイアスＶ４から第２帯電バイアスＶ２へ変更する時点は（Ｔ６）は、２枚目の用紙Ｐ２の先端がセンサ４０によって検知された時点（Ｔ４）を基準として、２枚目の用紙Ｐ２の先端がマゼンタ感光ドラム１１Ｍとマゼンタ転写ローラ１９Ｍとの対向部分を通過する時点（Ｔ９）から、マゼンタ感光ドラム１１Ｍのスコロトロン型帯電器１２Ｍに対する対向部分から第３ニップまでの右側面視反時計回り方向の周方向距離を周回する時間（例えば、０．３５秒）を差し引いた時点として設定される。
【０１３３】
また、制御部４１は、シアン転写ローラ１９Ｃに対する転写バイアスの印加をＯＦＦする（図６におけるＴ１１）直前に、スコロトロン型帯電器１２Ｃを制御して、シアン感光ドラム１１Ｃの帯電電位を、第４帯電バイアスＶ４（＋４００Ｖ）に調整する（図６におけるＴ８）。
【０１３４】
その後、制御部４１は、紙間に相当する期間の経過後、スコロトロン型帯電器１２Ｃを制御して、シアン感光ドラム１１Ｃの帯電電位を、再び、第２帯電バイアスＶ２（＋１００Ｖ）に調整する（図６におけるＴ１０）。すなわち、図６におけるＴ８〜Ｔ１０は、紙間に対応している。
【０１３５】
詳しくは、シアン感光ドラム１１Ｃの帯電電位を第２帯電バイアスＶ２から第４帯電バイアスＶ４へ変更する時点（Ｔ８）は、２枚目の用紙Ｐ２の先端がセンサ４０によって検知された時点（Ｔ４）を基準として、２枚目の用紙Ｐ２の先端がシアン感光ドラム１１Ｃとシアン転写ローラ１９Ｃとの対向部分を通過する時点（Ｔ１２）から、シアン感光ドラム１１Ｃのスコロトロン型帯電器１２Ｃに対する対向部分から第３ニップまでの右側面視反時計回り方向の周方向距離を周回する時間（例えば、０．３５秒）と、シアン感光ドラム１１Ｃの１周分の時間（例えば、０．６秒）とを差し引いた時点として設定される。
【０１３６】
また、シアン感光ドラム１１Ｃの帯電電位を第４帯電バイアスＶ４から第２帯電バイアスＶ２へ変更する時点は（Ｔ１０）は、２枚目の用紙Ｐ２の先端がセンサ４０によって検知された時点（Ｔ４）を基準として、２枚目の用紙Ｐ２の先端がシアン感光ドラム１１Ｃとシアン転写ローラ１９Ｃとの対向部分を通過する時点（Ｔ１２）から、シアン感光ドラム１１Ｃのスコロトロン型帯電器１２Ｃに対する対向部分から第３ニップまでの右側面視反時計回り方向の周方向距離を周回する時間（例えば、０．３５秒）を差し引いた時点として設定される。
４．作用効果
（１）このプリンタ１によれば、図６に示すように、制御部４１は、１枚目の用紙Ｐ１がマゼンタ感光ドラム１１Ｍ（または、シアン感光ドラム１１Ｃ）とマゼンタ転写ローラ１９Ｍ（または、シアン転写ローラ１９Ｃ）との対向部分を通過しているときに、−３μＡの転写電流を流し、１枚目の用紙Ｐ１と２枚目の用紙Ｐ２との紙間（図６におけるＴ７〜Ｔ９、または、Ｔ１１〜Ｔ１２）において、マゼンタ感光ドラム１１Ｍ（または、シアン感光ドラム１１Ｃ）とマゼンタ転写ローラ１９Ｍ（または、シアン転写ローラ１９Ｃ）との間に転写電流を流さない（すなわち、転写電流は、０となる。）。
【０１３７】
そのため、モノクロモード時において連続して搬送される複数の用紙（用紙Ｐ１および用紙Ｐ２）に印刷する場合に、カラー画像を形成するためのマゼンタプロセス部６Ｍおよびシアンプロセス部６Ｃの消費電力を抑制することができる。
【０１３８】
その結果、プリンタ１の消費電力を抑えることができる。
（２）また、このプリンタ１によれば、カラーモードにおいて、連続して搬送される複数（２枚）の用紙Ｐに対して画像形成動作が実施される場合に、制御部４１は、１枚目の用紙Ｐ１がマゼンタ感光ドラム１１Ｍ（または、シアン感光ドラム１１Ｃ）とマゼンタ転写ローラ１９Ｍ（または、シアン転写ローラ１９Ｃ）との対向部分を通過している期間（図６におけるＴ１〜Ｔ７、Ｔ９〜Ｔ１４、Ｔ２〜Ｔ１１、Ｔ１２〜Ｔ１５）に、マゼンタ感光ドラム１１Ｍ（または、シアン感光ドラム１１Ｃ）とマゼンタ転写ローラ１９Ｍ（または、シアン転写ローラ１９Ｃ）との間に−１０μＡの転写電流を流す。
【０１３９】
つまり、モノクロモード時の連続印刷において、マゼンタ感光ドラム１１Ｍ（または、シアン感光ドラム１１Ｃ）とマゼンタ転写ローラ１９Ｍ（または、シアン転写ローラ１９Ｃ）との間に流す転写電流（−３μＡ）を、カラーモード時の連続印刷における転写電流（−１０μＡ）に対して、小さく設定することができる。
【０１４０】
そのため、モノクロモード時の連続印刷の場合において、マゼンタプロセス部６Ｍおよびシアンプロセス部６Ｃの消費電力を、より抑制することができる。
（３）また、このプリンタ１によれば、モノクロモードで画像を形成するときに、マゼンタ感光ドラム１１Ｍおよびシアン感光ドラム１１Ｃの帯電電位（＋１００Ｖ）を、ブラック感光ドラム１１Ｋの帯電電位（＋７６０Ｖ）よりも小さく設定することができる。
【０１４１】
そのため、モノクロモード時の連続印刷の場合において、マゼンタプロセス部６Ｍおよびシアンプロセス部６Ｃの消費電力を、より抑制することができる。
（４）また、このプリンタ１によれば、制御部４１は、モノクロモードで画像を形成するときに、マゼンタ感光ドラム１１Ｍおよびシアン感光ドラム１１Ｃの帯電電位（＋１００Ｖ）が、カラーモードで画像を形成するときにおけるマゼンタ感光ドラム１１Ｍおよびシアン感光ドラム１１Ｃの帯電電位（＋８２０Ｖ）よりも小さくなるように制御する。
【０１４２】
そのため、モノクロモード時の連続印刷の場合において、マゼンタプロセス部６Ｍおよびシアンプロセス部６Ｃの消費電力を、より抑制することができる。
（５）また、このプリンタ１によれば、図１に示すように、各プロセス部６は、感光ドラム１１の表面に付着された転写残トナーを保持するためのドラムクリーニングローラ９を有している。
【０１４３】
この場合、１枚目の用紙Ｐ１と２枚目の用紙Ｐ２との紙間において、マゼンタ感光ドラム１１Ｍ（または、シアン感光ドラム１１Ｃ）とマゼンタ転写ローラ１９Ｍ（または、シアン転写ローラ１９Ｃ）との間に転写電流が流れ続けていると、１枚目の用紙Ｐ１が通過したときに、マゼンタ感光ドラム１１Ｍ（または、シアン感光ドラム１１Ｃ）とマゼンタ転写ローラ１９Ｍ（または、シアン転写ローラ１９Ｃ）との間に過度に電流が流れる場合がある。すると、その電流によって、マゼンタ感光ドラム１１Ｍ（または、シアン感光ドラム１１Ｃ）の帯電電位が、トナーの帯電極性に対して変動し、ドラムクリーニングローラ９で回収した転写残トナーが、マゼンタ感光ドラム１１Ｍ（または、シアン感光ドラム１１Ｃ）への再付着するおそれがある。
【０１４４】
しかし、このプリンタ１では、上記し、図６に示すように、１枚目の用紙Ｐ１と２枚目の用紙Ｐ２との紙間（図６におけるＴ７〜Ｔ９、または、Ｔ１１〜Ｔ１２）において、マゼンタ感光ドラム１１Ｍ（または、シアン感光ドラム１１Ｃ）とマゼンタ転写ローラ１９Ｍ（または、シアン転写ローラ１９Ｃ）との対向部分に流れる転写電流を低減する。
【０１４５】
そのため、１枚目の用紙Ｐ１と２枚目の用紙Ｐ２との紙間において、マゼンタ感光ドラム１１Ｍ（または、シアン感光ドラム１１Ｃ）とマゼンタ転写ローラ１９Ｍ（または、シアン転写ローラ１９Ｃ）との間に過度に電流が流れることを抑制することができる。
【０１４６】
その結果、マゼンタ感光ドラム１１Ｍ（または、シアン感光ドラム１１Ｃ）の帯電極性が変動することを抑制することができ、ドラムクリーニングローラ９で回収した転写残トナーが、マゼンタ感光ドラム１１Ｍ（または、シアン感光ドラム１１Ｃ）への再付着することを抑制することできる。
（６）また、このプリンタ１によれば、図６に示すように、予め、１枚目の用紙Ｐ１と２枚目の用紙Ｐ２との紙間（図６におけるＴ７〜Ｔ９、または、Ｔ１１〜Ｔ１２）に対応する期間（図６におけるＴ５〜Ｔ６、または、Ｔ８〜Ｔ１０）において、マゼンタ感光ドラム１１Ｍ（または、シアン感光ドラム１１Ｃ）の帯電電位を、＋１００Ｖから＋４００Ｖに増大させる。
【０１４７】
そのため、１枚目の用紙Ｐ１と２枚目の用紙Ｐ２との紙間（図６におけるＴ７〜Ｔ９、または、Ｔ１１〜Ｔ１２）において、マゼンタ感光ドラム１１Ｍ（または、シアン感光ドラム１１Ｃ）とマゼンタ転写ローラ１９Ｍ（または、シアン転写ローラ１９Ｃ）との間に過度に電流が流れることを予防することができる。
【０１４８】
その結果、ドラムクリーニングローラ９で回収した転写残トナーがマゼンタ感光ドラム１１Ｍ（または、シアン感光ドラム１１Ｃ）への再付着することを、確実に抑制することできる。
（７）また、このプリンタ１によれば、図１に示すように、スコロトロン型帯電器１２を備えている。
【０１４９】
そのため、発生するオゾンを低減することができる。
（８）また、このプリンタ１によれば、図１に示すように、ブラックプロセス部６Ｋは、マゼンタプロセス部６Ｍおよびシアンプロセス部６Ｃよりも前側（用紙Ｐの搬送方向において上流側）に配置されている。
【０１５０】
そのため、ブラックプロセス部６Ｋにより用紙Ｐ上に形成されたトナー像が、マゼンタ感光ドラム１１Ｍやシアン感光ドラム１１Ｃに逆転写するおそれがある。
【０１５１】
しかし、このプリンタ１では、上記し、図６に示すように、１枚目の用紙Ｐ１および２枚目の用紙Ｐ２がマゼンタ感光ドラム１１Ｍ（または、シアン感光ドラム１１Ｃ）とマゼンタ転写ローラ１９Ｍ（または、シアン転写ローラ１９Ｃ）との対向部分を通過している期間（図６におけるＴ１〜Ｔ７、Ｔ９〜Ｔ１４、Ｔ２〜Ｔ１１、Ｔ１２〜Ｔ１５）において、マゼンタ感光ドラム１１Ｍ（または、シアン感光ドラム１１Ｃ）とマゼンタ転写ローラ１９Ｍ（または、シアン転写ローラ１９Ｃ）との間に−３μＡの転写電流を流している。
【０１５２】
そのため、ブラックプロセス部６Ｋにより用紙Ｐ上に形成されたトナー像が、マゼンタ感光ドラム１１Ｍやシアン感光ドラム１１Ｃに逆転写することを抑制できる。
（９）また、このプリンタ１によれば、図６に示すように、制御部４１は、モノクロモードで画像を形成するときに、イエローのスコロトロン型帯電器１２Ｙを制御して、イエロー感光ドラム１１Ｙを、マゼンタ感光ドラム１１Ｍ（または、シアン感光ドラム１１Ｃ）の帯電電位（＋１００Ｖ）よりも大きな帯電電位（＋７６０Ｖ）に帯電させる。
【０１５３】
そのため、イエロー感光ドラム１１Ｙの帯電電位によって、ブラックプロセス部６Ｋにより用紙Ｐ上に形成されたトナー像がイエロー感光ドラム１１Ｙに逆転写されることを、抑制することができる。
（１０）また、このプリンタ１によれば、図６に示すように、モノクロモード時において、イエロー感光ドラム１１Ｙとイエロー転写ローラ１９Ｙとの対向部分に、常時、−８μＡの転写電流を流すことができる。
【０１５４】
そのため、ブラックプロセス部６Ｋにより用紙Ｐ上に形成されたトナー像がイエロー感光ドラム１１Ｙに逆転写されることを、より抑制することができる。
（１１）また、このプリンタ１によれば、図３および図５に示すように、１枚目の用紙Ｐ１の後端がマゼンタ感光ドラム１１Ｍ（または、シアン感光ドラム１１Ｃ）とマゼンタ転写ローラ１９Ｍ（または、シアン転写ローラ１９Ｃ）との対向部分を通過する前（図６におけるＴ７、または、Ｔ１１）において、確実に、マゼンタ感光ドラム１１Ｍ（または、シアン感光ドラム１１Ｃ）とマゼンタ転写ローラ１９Ｍ（または、シアン転写ローラ１９Ｃ）との間の転写電流を低減することができる。
（１２）また、このプリンタ１によれば、図４に示すように、制御部４１は、２枚目の用紙Ｐの先端が、マゼンタ感光ドラム１１Ｍ（または、シアン感光ドラム１１Ｃ）とマゼンタ転写ローラ１９Ｍ（または、シアン転写ローラ１９Ｃ）との対向部分を通過するとき（図６におけるＴ９、または、Ｔ１２）に、マゼンタ感光ドラム１１Ｍ（または、シアン感光ドラム１１Ｃ）とマゼンタ転写ローラ１９Ｍ（または、シアン転写ローラ１９Ｃ）との間に、−３μＡの転写電流を流す。
【０１５５】
そのため、画像形成領域Ｉ内において、ブラックプロセス部６Ｋにより用紙Ｐ上に形成されたトナー像がマゼンタ感光ドラム１１Ｍ（または、シアン感光ドラム１１Ｃ）に逆転写することを、確実に抑制できる。
５．第２実施形態
図７を参照して、プリンタ１の第２実施形態を説明する。なお、第２実施形態において、上記した第１実施形態と同様の部材には、同じ符号を付し、その説明を省略する。
【０１５６】
上記した第１実施形態では、感光ドラム１１をスコロトロン型帯電器１２で帯電させている。
【０１５７】
対して、第２実施形態では、図７に示すように、感光ドラム１１を帯電ローラ５１で帯電させる。
【０１５８】
また、上記した第１実施形態では、各プロセス部６は、前側（用紙搬送方向上流側）から後側（用紙搬送方向下流側）へ向かって、ブラック、イエロー、マゼンタ、シアンの順に、互いに間隔を隔てて並列配置されている。
【０１５９】
対して、第２実施形態では、各プロセス部６を、前側（用紙搬送方向上流側）から後側（用紙搬送方向下流側）へ向かって、イエロー、マゼンタ、シアン、ブラックの順に、互いに間隔を隔てて並列配置する。
【０１６０】
詳しくは、帯電ローラ５１は、複数（４つ）の感光ドラム１１のそれぞれに１つずつ対応するように、４つ、設けられている。帯電ローラ５１は、対応する感光ドラム１１に後上側から接触されている。なお、ブラック感光ドラム１１Ｋに対向される帯電ローラ５１が第１帯電部材の一例であり、マゼンタ感光ドラム１１Ｍおよびシアン感光ドラム１１Ｃに対向される帯電ローラ５１が第２帯電部材の一例であり、イエロー感光ドラム１１Ｙに対向される帯電ローラ５１が第３帯電部材の一例である。
【０１６１】
また、帯電ローラ５１は、対応する感光ドラム１１を帯電させるときに、対応する感光ドラム１１の表面に付着している付着物が帯電ローラ５１の表面に静電気的に保持される場合がある。付着物としては、例えば、紙粉や逆転写残トナーなどが挙げられる。
【０１６２】
すなわち、ブラック感光ドラム１１Ｋに対向される帯電ローラ５１は、第１保持部材としても作用する。また、マゼンタ感光ドラム１１Ｍおよびシアン感光ドラム１１Ｃに対向される帯電ローラ５１は、第２保持部材としても作用する。また、イエロー感光ドラム１１Ｙに対向される帯電ローラ５１は、第３保持部材としても作用する。
【０１６３】
第２実施形態においても、上記した第１実施形態と同様の作用効果を得ることができる。
６．変形例
（１）上記した第１実施形態では、１枚目の用紙Ｐ１の後端がマゼンタ感光ドラム１１Ｍとマゼンタ転写ローラ１９Ｍとの間を通過するときに、マゼンタ転写ローラ１９Ｍに対する転写バイアスの印加をＯＦＦしている。
【０１６４】
しかし、１枚目の用紙Ｐ１の後端がマゼンタ感光ドラム１１Ｍとマゼンタ転写ローラ１９Ｍとの間を通過するときに、マゼンタ感光ドラム１１Ｍとマゼンタ転写ローラ１９Ｍとの間に流れる転写電流の絶対値を下げるように、マゼンタ転写ローラ１９Ｍに印加される転写バイアスを制御することもできる。
【０１６５】
この場合、１枚目の用紙Ｐ１の後端がマゼンタ感光ドラム１１Ｍとマゼンタ転写ローラ１９Ｍとの間を通過するときには、マゼンタ感光ドラム１１Ｍとマゼンタ転写ローラ１９Ｍとの間に、例えば、−１μＡの転写電流（第２転写電流）を流す。
【０１６６】
この変形例においても、上記した第１実施形態と同様の作用効果を得ることができる。
（２）また、上記した実施形態では、連続して搬送される２枚の用紙Ｐに対しての転写動作について説明したが、連続して搬送される用紙が、３枚、４枚など数が増えた場合でも、２枚目の用紙Ｐと３枚目の用紙Ｐとの紙間や、３枚目の用紙Ｐと４枚目の用紙Ｐとの紙間において、上記した実施形態と同様に、転写動作および帯電動作を実施することができる。
【０１６７】
これらの場合にも、上記した実施形態と同様の効果を得ることができる。
【符号の説明】
【０１６８】
１      プリンタ
９      ドラムクリーニングローラ
１１    感光ドラム
１２    スコロトロン型帯電器
１８    搬送ベルト
１９    転写ローラ
４１    制御部
５１    帯電ローラ
【図１】
2014002269.tif 000003
【図２】
2014002269.tif 000004
【図３】
2014002269.tif 000005
【図４】
2014002269.tif 000006
【図５】
2014002269.tif 000007
【図６】
2014002269.tif 000008
【図７】
2014002269.tif 000009